(57)【要約】【課題】動力を使用することなく、遊技球を、当該遊技球の流れによって、遊技者の不利な状態と有利な状態との振り分けを図る。【解決手段】下側の波形部材３ｅの凸部が上側の波形部材３ｅの凹部に位置し、上側の波形部材３ｅの凹部が手前側に転がってきた遊技球を下側の波形部材３ｅの凸部に当接し、当該下側の波形部材３ｅの凸部が上記当接した遊技球を左右いずれかに振り分けるというように、遊技者に不利な状態と有利な状態とに振り分けられる。【選択図】　　　　図１
2004000702.tif 000002
【特許請求の範囲】
【請求項１】
遊技領域中で遊技球を当該遊技球の流れによって遊技者の不利な状態と有利な状態とに振り分ける振り分け装置において、多数の波形部材を上下方向に多段配置し、これらの波形部材は最上部より下方に行くにしたがって順に手前側に位置し、下側の波形部材の凸部が上側の波形部材の凹部に位置し、上側の波形部材の凹部が手前側に転がってきた遊技球を下側の波形部材の凸部に当接し、当該下側の波形部材の凸部が上記当接した遊技球を左右いずれかに振り分けることを特徴とする遊技機の振り分け装置。
【請求項２】
最上部の波形部材よりも上部に左右に向け半円弧状に形成された誘導飾りを有することを特徴とする請求項１記載の遊技機の振り分け装置。
【請求項３】
誘導飾り上面が遊技領域の手前側から向こう側に向けて下り勾配に傾斜したことを特徴とする請求項２記載の遊技機の振り分け装置。
【請求項４】
誘導飾りの上部に位置する振り分け装置におけるベースには、誘導飾りの上面から入った遊技球を誘導飾りの裏側を通り誘導飾りの下部に位置する多数の波形部材を有する振り分け部に落下するための穴が形成されたことを特徴とする請求項２記載の遊技機の振り分け装置。
【発明の詳細な説明】
【０００１】
【産業上の利用分野】
この発明は、パチンコ機などのような遊技機の遊技領域において、遊技球を、当該遊技球の流れによって、遊技者の不利な状態と有利な状態とに振り分ける振り分け装置に関するものである。
【０００２】
パチンコ機の中には、回転体の回転によって遊技球を遊技者の不利な状態と有利な状態とに振り分ける振り分け装置が知られている（例えば、特許文献１；２参照）。
【０００３】
【特許文献１】
特開平５−３２９２４９号公報（段落番号０００９、図１）
【特許文献２】
特開昭６１−９０６８６号公報（第２頁左上欄第１７行−同頁左下欄第１７行、第５図）
【０００４】
【発明が解決しようとする課題】
上記特開平５−３２９２４９号公報や特開昭６１−９０６８６号公報で開示された振り分け装置は、回転体収納室の裏部に設けたモータで回転体を回転駆動することによって、回転体の切欠部と回転体収納室の周壁に形成された入口との位置が合った状態において、遊技球が振り分け装置の設けられた遊技領域から周壁の入口を経由して回転体の切欠部に取り込まれる。そして、１個の遊技球が切欠部に取り込まれた状態において、回転体が回転し、縦壁に形成された複数の出口のいずれか１つと回転体の切欠部との位置が合うことによって、遊技球を遊技者に不利な遊技状態または遊技者に有利な遊技状態となるように振り分ける構成になっている。つまり、これらの振り分け装置は回転体を回転駆動することによって、遊技球を振り分ける構造であるため、回転体を回転駆動するための構造が複雑となり、にわかに採用しがたいものである。
【０００５】
そこで、この発明は、動力を使用することなく、遊技球を、当該遊技球の流れによって、遊技者の不利な状態と有利な状態とに振り分けることができる遊技機の振り分け装置を提供するものである。
【０００６】
【課題を解決するための手段】
この発明の振り分け装置は、遊技領域中で遊技球を当該遊技球の流れによって遊技者の不利な状態と有利な状態とに振り分ける振り分け装置において、多数の波形部材を上下方向に多段配置し、これらの波形部材は最上部より下方に行くにしたがって順に手前側に位置し、下側の波形部材の凸部が上側の波形部材の凹部に位置し、上側の波形部材の凹部が手前側に転がってきた遊技球を下側の波形部材の凸部に当接し、当該下側の波形部材の凸部が上記当接した遊技球を左右いずれかに振り分ける構成としたものである。
この発明の振り分け装置は、最上部の波形部材よりも上部に左右に向け半円弧状に形成された誘導飾りを有する構成にしてもよい。
この発明の振り分け装置は、誘導飾り上面が遊技領域の手前側から向こう側に向けて下り勾配に傾斜した構成にしてもよい。
この発明の振り分け装置は、誘導飾りの上部に位置する振り分け装置におけるベースには、誘導飾りの上面から入った遊技球を誘導飾りの裏側を通り誘導飾りの下部に位置する多数の波形部材を有する振り分け部に落下するための穴が形成された構成にしてもよい。
【０００７】
【作用】
この発明の振り分け装置によれば、下側の波形部材の凸部が上側の波形部材の凹部に位置し、上側の波形部材の凹部が手前側に転がってきた遊技球を下側の波形部材の凸部に当接し、当該下側の波形部材の凸部が上記当接した遊技球を左右いずれかに振り分けるというように、遊技者に不利な状態と有利な状態とに振り分けられる。
【０００８】
【実施例】
この発明の一実施例を図面とともに詳述する。
【０００９】
図１は実施例のパチンコ機の遊技板の正面図、図２は実施例の入賞口装置を示す分解斜視図、図３は実施例の入賞口装置における往復駆動機構を示す断面図、図４は実施例の入賞口装置の作用説明図、図５は実施例の振り分け装置を示す分解斜視図、図６は実施例の振り分け装置における回転体と連結軸と連結を示す断面図、図７は実施例の振り分け装置の作用説明図、図８は実施例の入賞振り分け装置を示す構成図、図９は実施例の入賞振り分け装置の作用説明図である。
【００１０】
図１において、遊技板１はほぼ方形のベニヤ板の前面に図外のデザイン図の印刷された図外のセル板を接着してあり、セル板上には図外の発射装置から発射された図外の遊技球を遊技領域に誘導するバンド２を設置し、このバンド２内に形成された遊技板１の遊技領域には上部振り分け装置３、天通過口４、複数のランプ風車５，６、一般入賞口７，８，９，１０、第３種始動口１１、大入賞口（アタッカ）１２、サイドランプ１３，１４、入賞口装置１５、下部振り分け装置１６、アウト口１７および多数の遊技釘１８を点在配置に設置する。
【００１１】
具体的には、遊技領域のほぼ中央部には上部振り分け装置３を、その真上には天通過口４を、上部振り分け装置３の真下には入賞口装置１５を、その真下には下部振り分け装置１６を、最下部中央にはアウト口１７を、上部振り分け装置３と天通過口４との左右横方向には複数のランプ風車５，６を、上部振り分け装置３の中央部の左側には一般入賞口７を、その左側にはサイドランプ１３を、上部振り分け装置３の中央部の右側には第３種始動口１１を、その右側にサイドランプ１４を、上部振り分け装置３と入賞口装置１５との左側には一般入賞口８を、下部振り分け装置１６と入賞口装置１５との右側には大入賞口１２、下部振り分け装置１６の左右横方向には一般入賞口９，１０をそれぞれ配置する。
【００１２】
図１中、遊技釘１８は最上部に図示したが、遊技球が遊技領域内をあちらこちらに行きながら落下する、多様な遊技経路を描く遊技の面白さを醸し出すことができるように、遊技領域内の全体に点在配置する。
【００１３】
したがって、このパチンコ機においては、図外の発射装置から発射された図外の遊技球がバンド２に沿い遊技領域に導かれ、その遊技球の上向きの推力がその遊技球の重力よりも小さくなることによって、遊技球は遊技領域を下方に向けて転がり、その転がる途中で天通過口４を通ったり、遊技釘１８やランプ風車５などに当たりながら一般入賞口７〜１０に入って定数の遊技球を図外の上皿セットに当たり球として供給する定数供給球となったり、上部振り分け装置３に入って入賞口装置１５を開放する始動球およびその後に発生する権利発生球となったり、一般入賞口７〜１０および上部振り分け装置３に入らなかった遊技球はアウト口１７に入ってアウト球となる。
【００１４】
上部振り分け装置３の図柄可変動作、入賞口装置１５の開閉動作、下部振り分け装置１６の振り分け動作、権利発生による第３種始動口１１の動作、大入賞口１２の開閉動作、ランプ風車５，６の点滅およびサイドランプ１３，１４の点滅などは遊技板１の裏面に組み付けられた遊技制御装置５０にて制御される。
【００１５】
上部振り分け装置３は左右に向け半円弧状に形成された誘導飾り３ａを有し、この誘導飾り３ａの上面は遊技板１の手前側から向こう側（図１の紙面表側から裏側）に向けて下り勾配に傾斜していて遊技球を誘導飾り３ａの上部に位置する上部振り分け装置３におけるベース３ｂに形成された穴３ｃに誘導し、この穴３ｃに入った遊技球は誘導飾り３ａの裏側を通り誘導飾り３ａの下部に位置する振り分け部３ｄに落下する。
【００１６】
振り分け部３ｄは多数の波形部材３ｅを多段配置し、これらの波形部材３ｅは最上部より下方に行くにしたがって順に手前側に位置し、下側の波形部材３ｅの凸部が上側の波形部材３ｅの凹部に位置し、上側の波形部材３ｅの凹部を手前側に転がってきた遊技球を下側の波形部材３ｅの凸部に当接して左右いずれかに振り分ける。
【００１７】
そして、最下段に到達した遊技球が振り分け部３ｄの中央下部内に配置された図外の当たり通路を通ることを、その当たり通路に設けた図外の検知スイッチのような検知器が検出すると、振り分け部３ｄの下部の左右両側に配置された普通図柄可変表示部３ｆの図柄の可変動作が開始しその所定時間後に停止する。
【００１８】
この図柄の可変動作開始、停止および停止図柄の組み合わせは遊技制御装置５０にて制御される。
【００１９】
この遊技制御装置５０による普通図柄可変表示部３ｆの制御は、遊技制御装置５０が上記検知器の検出信号を受け取ると、遊技制御装置５０が左右の図柄可変表示部３ｆに図柄可変開始信号を出力して普通図柄可変表示部３ｆそれぞれの図柄の可変動作を開始するとともに、遊技制御装置５０に内蔵された図外の乱数を用いる停止図柄組み合わせ決定手段が停止する二つの図柄の組み合わせを決定し、この停止図柄組み合わせ決定手段が上記検出信号の受け取りから所定時間の経過後に上記決定した図柄の組み合わせ信号を普通図柄可変表示部３ｆそれぞれに出力して左右の普通図柄可変表示部３ｆの図柄を停止する。
【００２０】
左右の普通図柄可変表示部３ｆにおける図柄の停止は左右同時でもよいが、左右に時間差を設けることによって、遊技性を増長することも可能である。
【００２１】
この停止した二つの図柄が例えば「７」のような特定図柄で揃うと、遊技制御装置５０が下部振り分け装置１６による遊技開始信号を入賞口装置１５および下部振り分け装置１６に出力する。
【００２２】
第３種始動口１１は下部振り分け装置１６における特定入賞による権利発生中において、第３種始動口１１に遊技球が入ると、遊技制御装置５０を介して大入賞口１２の開閉板を開放し、上記特定入賞による権利が発生してないときは、入賞口７〜１０と同様に定数の当たり球を供給する一般入賞口となる。
【００２３】
この第３種始動口１１の一般入賞口化、上記大入賞口１２における開閉板の開放時間および第３種始動口１１への一つの遊技球の入賞に対する開閉回数は、遊技制御装置５０により制御される。
【００２４】
入賞口装置１５について図２乃至図４を参照しながら説明する。
【００２５】
図２において、入賞口装置１５は、大まかにはベース２０とスライダ２１およびスライダ２１を往復移動する往復駆動機構２２を備え、ベース２０の前面にスライダ２１をベース２０に沿い横移動可能に組み込み、ベース２０の裏面に往復移動機構２２を取り付け、この往復駆動機構２２を上記遊技板１に形成された図外の入賞口装置取り付け用開口に遊技板１の前面より挿入し、ベース２０の周縁部を入賞口装置取り付け用開口まわりの遊技板１の前面に当接し図外の木ねじのようなねじ釘にてベース２０の前面より遊技板１に取り付けることによって、ベース２０が入賞口装置取り付け用開口を被覆し、入賞口装置１５が遊技板１に取り付けられる。
【００２６】
ベース２０は合成樹脂にて構成され、その前面は不透明で鮮明な色彩による意匠を有するとともに上記遊技板１の遊技領域中に区画される入賞領域２０ａを有し、入賞領域２０ａはベース２０の前面より前方に向け一体に突出する第１・第２壁２０ｂ，２０ｃにより形成され、第１・第２壁２０ｂ，２０ｃの左側で分離した端部間には入賞領域２０ａへの入口２０ｄを形成し、第１・第２壁２０ｂ，２０ｃの下側で分離した端部間には入賞領域２０ａからの出口２０ｅを形成し、入口２０ｄおよび出口２０ｅの開口幅は遊技球一つの直径よりは大きいが二つ合わせた直径よりは小さい寸法になっており、つまり、入口２０ｄおよび出口２０ｅの開口面積は、遊技球が一つづつ通過可能であるが二つ以上が同時に通過できない大きさに設定されている。
【００２７】
第１壁２０ｂは、上部の山形部と、この山形部の右側の傾斜片部から右側に滑らかに傾斜しつつ連なる半円弧片部と、この半円弧片部の下端から左側に向けて山形部の底片部と所定の対向間隔を以てほぼ平行となって水平に延びる下片部、この下片部の延長端から下に向けて延びる縦片部、および山形部の左側の傾斜片部より下に向けて延びる縦片部を備え、山形部はその内部にベース２０の裏面に開放された中空を有して軽量化を図り、縦片部は山形部の底片部に連接し、縦片部と底片部との連接部が入口２０ｄの上端縁を形成する。
【００２８】
第２壁２０ｃは、第１壁２０ｂにおける山形部の底片部の下方で下片部の左側に位置する水平片部、この水平片部の右側から斜め右側に下がる傾斜片部、およびこの傾斜片部の下端から下に延びる縦片部を備え、水平片部の左側端部が入口２０ｄの下端縁を形成し、縦片部の下端部および上記第１壁２０ｂの縦片部の下端部との隙間が出口２０ｅを形成する。
【００２９】
ベース２０は入賞領域２０ａから入口２０ｄを経て左側の部分まで位置する横長孔２０ｆ、ベース２０の周縁部に位置する複数の皿穴２０ｈ、ベース２０の裏面より後方に向け一体に突出する複数の支柱２０ｉを有し、これらの支柱２０ｉは上記遊技板１に形成された図外の入賞口装置取り付け用開口内に挿入可能なように皿穴２０ｈよりも内側に位置し、各支柱２０ｉの端面にはタッピングねじ用の図外の下穴を有する。
【００３０】
スライダ２１は合成樹脂にてベース２０の横長孔２０ｆより大きい横長な板形状に構成されて横長孔２０ｆの前側においてベース２０に沿い往復移動可能に組み込まれ、その前面には図外の不透明で鮮明な色彩による意匠を有するとともに第１突起２１ａおよび第２突起２１ｂを一体に形成し、第１・第２突起２１ａ，２１ｂは一つの遊技球の通過可能な間隔２１ｃを以て横方向に相対峙し、第１突起２１ａは平面視ほぼ三角形の柱状に形成され、三角形の稜線部は円弧面に形成され、この円弧面より右側に延びる内側面は縦面に形成され、円弧面より左側に延びる外側面は斜面になっており、第２突起２１ｂは平面視ほぼカギ穴形の柱状に形成され、円柱部から第１突起２１ａ側に突出する横長角柱部と第１突起２１ａの内側面との間には上記間隔２１ｃを形成する。
【００３１】
スライダ２１の裏面には複数の支柱２１ｄを一体に形成し、これらの支柱２１ｄは第１突起２１ａおよび第２突起２１ｂの円柱部と同軸配置になっており、各支柱２１ｄの端面には図外のタッピングねじ用の下穴を形成する。
【００３２】
また、第１突起２１ａおよび第２突起２１ｂにおけるスライダ２１の前面からの突出量（高さ）は、スライダ２１がベース２０の前面に組み込まれた状態において、第１突起２１ａおよび第２突起２１ｂの先端面（端面）がベース２０の第１・第２壁２０ａ，２０ｂよりわずかに突出する寸法に設定され、この第１・第２突起２１ａ，２１ｂの端面には、図１に示すデザイン化された前板２１ｆを接着剤で接合し、この前板２１ｆは、後述するスライダ２１の入賞位置への停止により、一つの遊技球が第１・第２突起２１ａ，２１ｂおよび第２壁２０ｃの端部の三者で形成される収容空間２５に入ったとき、その遊技球が収容空間２５より前方に飛び出すのを阻止する。
【００３３】
往復駆動機構２２は駆動源として電磁駆動自己復帰形の電磁ソレノイド２２ａを備え、電磁ソレノイド２２ａが角筒形のソレノイドケーシング２２ｂ内に装着され、アーマチュア２２ｃがソレノイドケーシング２２ｂの一側壁から電磁ソレノイド２２ａ内を通りソレノイドケーシング２２ｂの他側壁に貫通し、ソレノイドケーシング２２ｂの一側壁とこの一側壁より外側に突出するアーマチュア２２ｃの一端部に形成された鍔部２２ｄとの間にはリータンスプリング２２ｅを装着する。
【００３４】
ソレノイドケーシング２２ｂの裏面にはアーマチュア２２ｃの移動方向に沿う方向に延びる取り付け部２２ｆをスポット溶接などにて接合し、この取り付け部２２ｆのソレノイドケーシング２２ｂより両側に突出する両端部にはねじ挿入用の貫通孔２２ｇを形成し、これら貫通孔２２ｇの間隔はベース２０における複数の支柱２０ｉの図外の下穴間の間隔と同一の寸法に設定される。
【００３５】
往復駆動機構２２は電磁ソレノイド２２ａにスライダ２１を組み込むためのコ字形の連結部材２２ｈを備え、この連結部材２２ｈの相対峙する両側壁を連結する背壁の前面にはスライダ２１における複数の支柱２１ｄを位置決めする環状の凸部２２ｉを一体に形成し、これらの凸部２２ｉ内における連結部材２２ｈの背部にはねじ挿入用の貫通孔２２ｊを形成する。
【００３６】
この連結部材２２ｈにスライダ２１を取り付けるには、スライダ２１の支柱２１ｄをベース２０の横長孔２０ｆに前方より挿入するとともに連結部材２２ｈをベース２０の支柱２０ｉ間に挿入し、連結部材２２ｈの凸部２２ｉ内にベース２０の裏面より突出するスライダ２１の支柱２１ｄを挿入し、タッピングねじ２３（図３参照）を連結部材２２ｈの背壁の裏面側より各貫通孔２２ｊを経てスライダ２１の支柱２１ｄの下穴を案内として各支柱２１ｄに締結することにより、各支柱２１ｄの端面が連結部材２２ｈの背壁に受け止められ、スライダ２１が連結部材２２ｈにしっかりと組み付けられ、この状態において、スライダ２１はベース２０の前側に配置され、スライダ２１の支柱２１ｄが横長孔２０ｆを前後に貫通し、スライダ２１が連結部材２２ｈとの間にベース２０を挟む格好で連結部材２２ｈに取り付けられる。
【００３７】
この連結部材２２ｈに電磁ソレノイド２２ａを取り付けるには、電磁ソレノイド２２ａのアーマチュア２２ｃの両端に形成された鍔部２２ｄ，２２ｋ（図３参照）を連結部材２２ｈの両側壁の内側面に接触しつつ両側壁間に形成したチャンネル状の溝２２ｍに鍔部２２ｄ，２２ｋを挿入係合し、連結部材２２ｈと鍔部２２ｄ，２２ｋとを結合し、図２に示すタッピングねじ２４を電磁ソレノイド２２ａにおける取り付け部２２ｆの裏面側より貫通孔２２ｇを経てベース２０の支柱２０ｉの下穴を案内として各支柱２０ｉに締結することにより、電磁ソレノイド２２ａがベース２０にしっかりと組み付けられ、入賞口装置１５の組み立てが完了する。
【００３８】
この組み付けが完了した状態において、ベース２０の支柱２０ｉの高さと、連結部材２２ｈの両側壁の高さ、およびスライダ２１の支柱２１ｄの高さの関係により、スライダ２１とベース２０と連結部材２２ｈおよび取り付け部２２ｆからなる四者間にわずかの隙間を存在させ、連結部材２２ｈが電磁ソレノイド２２ａによるアーマチュア２２ｃの電力駆動および自己復帰駆動に伴い円滑に往復移動し、結果として、スライダ２１が連結部材２２ｈを介して電磁ソレノイド２２ａの電力駆動および自己復帰駆動に伴いベース２０の横長孔２０ｆ内において左右の横方向に往復移動する。
【００３９】
この電磁ソレノイド２２ａの図外の電線は、入賞口装置１５が遊技板１に取り付けられた場合、遊技板１の背部（裏面側）に位置し、その遊技板１の裏面に組み付けられた遊技制御装置５０の対応する接続端子に配線される。
【００４０】
したがって、電磁ソレノイド２２ａに遊技制御装置５０によって制御された電力を供給すると、電磁ソレノイド２２ａがアーマチュア２２ｃをリータンスプリング２２ｅの弾力に抗して吸引し、アーマチュア２２ｃの鍔部２２ｄがリータンスプリング２２ｅを圧縮しつつケーシング２２ｂ側に所定距離移動する。
【００４１】
電力駆動によるアーマチュア２２ｃの移動する所定距離は設計時に設定される。
【００４２】
一方、上記電力供給が停止すると、リータンスプリング２２ｅが伸長しつつアーマチュア２２ｃの鍔部２２ｄを押動し、アーマチュア２２ｃの他端側に形成された鍔部２２ｋが図３に示すようにケーシング２２ｂの他側壁に当接し、アーマチュア２２ｃが自己復帰する。
【００４３】
つまり、電磁ソレノイド２２ａの電磁駆動に伴い、スライダ２１が左側に往動しその最往動位置に停止すると、図４のＡ図に示すように、スライダ２１の第１突起２１ａがベース２０の入口２０ｄの下端縁を構成する第２壁２０ｃの端部よりも左外側に位置して入口２０ｄの上端縁を構成する第１壁２１ｂの縦片部・底片部連接隅部との間に一つの遊技球の通過可能な開口を形成し、スライダ２１の第２突起２１ｂが第２壁２０ｃの端部よりも右内側に位置し、以て、第１・第２突起２１ａ，２１ｂが入口２０ｄの下端縁の内外に前進配置され、入口２０ｄの下端縁を構成する第２壁２０ｃの端部と第１・第２突起２１ａ，２１ｂとの三者が一個の遊技球の収容空間２５を入口２０ｄの近傍に形成し、この収容空間２５の形成されるスライダ２１の最往動停止位置を入賞位置と称する。
【００４４】
この入賞位置にスライダ２１が停止した状態において、図４のＡ図に実線で示すように、入口２０ｄ近辺の横長孔２０ｆはスライダ２１で塞がれており、遊技球が横長孔２０ｆに引っ掛かることなく入口２０ｄを通り収容空間２５に入り、一つの遊技球２６が収容空間２５内に入ると、それに続いて収容空間２５に入ろうとする図４のＡ図に仮想線で示す別の遊技球２７は、収容空間２５内の遊技球２６と第１突起２０ａとに当接して収容空間２５内に入ることができず、当接時の反発力によって入賞口装置１５からその外側の遊技領域へと下方に向けて転がりながら落下する。
【００４５】
この図４のＡ図に示すように、一つの遊技球２６が収容空間２５内に入ると、別の遊技球２７の収容空間２５への入りが阻止されるということは、遊技中において、入賞領域２０ａへの遊技球の連続入りを確実に阻止することができる、ということである。
【００４６】
その後に、電磁ソレノイド２２ａの自己復帰に伴い、スライダ２１が右側に復動を開始すると、図４のＡ図において、第１・第２突起２０ａ，２０ｂがともに水平移動し、収容空間２５内の遊技球２６が第１突起２０ａに押されつつ第２壁２０ｃの水平片部上に沿い出口２０ｅ側へと移動し、さらなるスライダ２１の復動にて第１突起２０ａが第２壁２０ｃの傾斜片部側に移動すると、遊技球２６が第２壁２０ｃの水平片部から傾斜片部へと移動しつつ収容空間２５から第１壁２０ｃの傾斜片部と第１壁２０ｂの縦片部との間の通路に移動した後に出口２０ｅに導出される。
【００４７】
このスライダ２１の復動開始から遊技球２６の出口２０ｅ側への導出までの過程において、第１突起２１ａの半円弧面に形成された稜線部と第１壁２０ｂの端部との間の開口幅は、第１突起２１ａの水平移動の進行に伴い徐々に小さくなる。
【００４８】
よって、例えば、上記のようにスライダ２１が入賞位置に停止し、収容空間２５に一つの遊技球２６が収容された状態において、別の遊技球が収容空間２５内の遊技球２６と第１突起２１ａとの二者に引っ掛かったとしても、その引っ掛かった遊技球は上記開口幅が徐々に小さくなる第１突起２１ａの水平移動に伴い連れ動き、ついには、その遊技球の上部が第１壁２０ｂの端部に当接し、その遊技球の下部が第１突起２１ａの頂部を外側（左側）に乗り越え、上記遊技球の引っ掛かりが解除されて下方に落下する。
【００４９】
引き続き、スライダ２１が右側に復動しその最復動位置に停止すると、図４のＢ図に示すように、スライダ２１の第１突起２１ａがベース２０の入口２０ｄの下端縁を構成する第２壁２０ｃの端部近傍に後退配置され、入口２０ｄの上端縁を構成する第１壁２０ｂの端部と第１突起２１ａとの二者が入口２０ｄへの図４のＢ図に仮想線で示す遊技球２７の入りを阻止し、この遊技球２０の入口２０ｄへの阻止の行われるスライダ２１の最復動停止位置を入口閉鎖位置と称する。
【００５０】
この入口閉鎖位置にスライダ２１が停止した状態においては、図４のＢ図に示すように、入口２０ｄ近辺の横長孔２０ｆはスライダ２１で塞がれおり、遊技球２６が入口２０ｄに入ろうとすると、その遊技球２６は横長孔２０ｆに引っ掛かることなく第１突起２１ａと第１壁２０ｂとに当接して入口２０ａに入ることもできず、当接時の反発力によって入賞口装置１５からその外側の遊技領域へと下方に向けて転がりながら落下する。
【００５１】
下部振り分け装置１６について図５乃至図７を参照しながら説明する。
【００５２】
図５において、下部振り分け装置１６は、大まかにはベース３０と振り分け作動部材としての回転体３１および回転体３１を正逆転駆動する回転駆動機構３２を備え、ベース３０の前面に回転体３１を回転可能に組み込み、ベース３０の裏面に回転駆動機構３２を取り付け、この回転駆動機構３２を前記遊技板１に形成された図外の下部振り分け装置取り付け用開口に遊技板１の前面より挿入し、ベース３０の周縁部を下部振り分け装置取り付け用開口まわりの遊技板１の前面に取り付けることによって、ベース３０が下部振り分け装置取り付け用開口を被覆し、下部振り分け装置１６が遊技板１に取り付けられる。
【００５３】
ベース３０は合成樹脂にて構成され、その前面には不透明で鮮明な色彩による意匠、遊技板１の遊技領域中に区画される振り分け領域としての回転体収容室３０ａ、回転体収容室３０ａの中心に位置するボス部３０ｂ、外周縁部に位置する複数の皿穴３０ｃを有する。
【００５４】
回転体収容室３０ａはベース３０の前面より前方に突出する壁構成体３０ｄのやや下側寄りに位置する円形状の内壁３０ｅにより形成され、壁構成体３０ｄは合成樹脂にて構成されてベース３０の前面に接着剤またはねじで結合される。
【００５５】
つまり、ベース３０とは別に形成された壁構成体３０ｄをベース３０に後付けすることによって、後述の複数の誘導通路を回転体収容室３０ａの周囲に配置構成したので、ベース３０と壁構成体３０ｄを一つの型で一度に成形する場合に比べ、回転体収容室３０ａの配置設定（レイアウト）に自由度が増し、しかもコスト的に有利である。
【００５６】
壁構成体３０ｄは内壁３０ｅ、内壁３０ｅの外側を囲む外壁３０ｆ、外壁３０ｆと内壁３０ｅとの前端縁に跨がって設けられデザイン化された前板３０ｇ、回転体収容室３０ａの中心より上半部の壁面としての最上部の天部に位置する入口３０ｈを有する。
【００５７】
前板３０ｇで覆われる壁構成体３０ｄの内部には、図７のＡ図に示すように、振り分け誘導通路３０ｉ、不利誘導通路３０ｊおよび有利誘導通路３０ｋからなる複数の誘導通路を、内壁３０ｅと外壁３０ｆとの間に位置して形成し、これによって、複数の誘導通路が回転体収容室３０ａの周囲に配置構成されている。
【００５８】
振り分け誘導通路３０ｉは、内壁３０ｅと外壁３０ｆとの両方に連なる直線状の下り傾斜に形成された隔壁３０ｍにて不利誘導通路３０ｊと上下に分離されるとともに、内壁３０ｅと外壁３０ｆとの両方に連なる半円弧状の下り傾斜に形成された隔壁３０ｎにて有利誘導通路３０ｋと上下に分離され、上記入口３０ｈと、隔壁３０ｎより上部の内壁３０ｅに形成された出口３０ｐとを有する。
【００５９】
不利誘導通路３０ｊは外壁３０ｆにて有利誘導通路３０ｋと分離され、入口３０ｑおよび出口３０ｒを有し、入口３０ｑは壁構成体３０ｄにおける回転体収容室３０ａの中心を通る水平位置近傍または回転体収容室３０ａの中心より下半部の壁面としての内壁３０ｅに形成され、出口３０ｒは不利誘導通路３０ｊ内の下部に位置するベース３０に形成される。
【００６０】
不利誘導通路３０ｊおよび有利誘導通路３０ｋを分離する部分において、外壁３０ｆは内壁３０ｅと一体になっている。
【００６１】
有利誘導通路３０ｋは入口３０ｓおよび出口３０ｔを有し、入口３０ｓは壁構成体３０ｄにおける回転体収容室３０ａの中心を通る水平位置近傍または回転体収容室３０ａの中心より下半部の壁面としての内壁３０ｅに形成され、出口３０ｔは有利誘導通路３０ｋ内の下部に位置するベース３０に形成される。この出口３０ｒおよび上記出口３０ｔは図外の賞球排出機構の入賞球検知通路に連なる。
【００６２】
再び、図５に戻り説明すると、回転体３１は合成樹脂にて回転体収容室３０ａにボス部３０ｂを中心として回転可能に収容されるように構成され、中心部に位置するねじ挿入用の貫通孔３１ａ、周縁部に位置する複数の切欠部３１ｂ、および複数の切欠部３１ｂのうちの一つに位置する振り分け突起３１ｃを有する。
【００６３】
切欠部３１ｂは一つの遊技球を格納可能な大きさに形成され、回転体３１の外周面に一つの遊技球が通過可能な開口を有し、この実施例では６等分配置になっている。
【００６４】
振り分け突起３１ｃは切欠部３１ｂと回転体３１の外周面との連接隅部で回転体３１の回転方向一開口縁より周方向に向けて突出し、この振り分け突起３１ｃと切欠部３１ｂにおける回転体３１の回転方向他開口縁との間には一つ遊技球の通過可能な開口を形成する。
【００６５】
回転駆動機構３２は駆動源としてモータ３２ａを備え、モータ３２ａはモータケーシングの前面より外側に突出する複数の取り付け部３２ｂ、モータケーシングの前面下部より前方に突出するボス部３２ｃ、およびボス部３２ｃより前方に突出する出力軸３２ｄを有し、出力軸３２ｄの先端部はその周面に回り止め用のカット面３２ｅを有する。
【００６６】
モータ３２ａは出力軸３２ｄおよびボス部３２ｃをケース３２ｆの膨出部３２ｇに形成された図外の貫通孔に裏面側より挿入し、複数の取り付け部３２ｂを図外のタッピングねじで膨出部３２ｇの裏面に締結することによってケース３２ｆに取り付けられる。
【００６７】
ケース３２ｆは合成樹脂にて構成され、その下部中央部に位置する門形の開口３２ｈ、開口３２ｈの相対峙する左右の開口縁より裏面側に向けてコ字形に突出する上記膨出部３２ｇ、膨出部３２ｇの相対峙する左右側壁より外側に突出する複数の検知器収容室３２ｉ，３２ｊ、複数の検知器収容室３２ｉ，３２ｊそれぞれの裏面より後方に突出する支柱３２ｋ、および開口３２ｈの上縁近傍に位置する下穴３２ｍを有し、複数の支柱３２ｋの後端面には図外のタッピングねじ用の下穴を形成する。
【００６８】
また、回転駆動機構３２はモータ３２ａの出力軸３２ｄに回転体３１を取り付けるための連結軸３２ｎを備え、連結軸３２ｎはその前部をベース３０のボス部３０ｂに後方より回転可能に挿入し、連結軸３２ｎの前端面にはねじ挿入用の下穴３２ｐを形成し、その後部には連結軸３２ｎが前方に移動するときボス部３０ｂの後端面に当接するストッパ部３２ｑを有し、ストッパ部３２ｑの後端面には回転体３１の回転停止検出機構３３におけるドッグシャフト３３ａを同軸に一体回転可能に連結するための図６に示す受容凹部３２ｒを形成する。
【００６９】
上記連結軸３２ｎをボス部３０ｂに挿入した状態において、図６に示すように、連結軸３２ｎのボス部３０ｂより回転体収容室３０ａの底面に突出する前端には、回転体収容室３０ａ内に収容した回転体３１をタッピングねじ３４で結合する。
【００７０】
このタッピングねじ３４が回転体３１の前方より貫通孔３１ａに挿入して連結軸３２ｎの下穴３２ｐに締結されることにより、回転体３１は回転体収容室３０ａにボス部３０ｂを中心として回転可能に収容され、連結軸３２ｎが前方に移動すると、ストッパ部３２ｑがボス部３０ｂに当接し、連結軸３２ｎが後方に移動すると、回転体３１が回転体収容室３０ａの底面を構成するベース３０に当接し、以て、回転体３１が回転体収容室３０ａに回転可能に格納され、この回転体３１の最大外周面は回転体収容室３０ａの周壁面を構成する内壁３０ｅとの間にわずかな隙間を有する。
【００７１】
再度図５に戻ると、回転停止検出機構３３はドッグシャフト３３ａおよびセンサホルダ３３ｂを備え、ドッグシャフト３３ａは金属にて形成され、ドッグシャフト３３ａをインンサート部材として図外の樹脂成形型内に配置し、その樹脂成形型内に成形材料を注入固化することによって、ドッグシャフト３３ａの前端部にドッグプレート３３ｃを一体に形成する。
【００７２】
ドッグプレート３３ｃはその周縁および前後に開口するスリット３３ｄを有し、ドッグプレート３３ｃの前面には連結部材としてのボルト３３ｅを有し、ボルト３３ｅはドッグプレート３３ｃの中心を貫通してドッグシャフト３３ａの中心に締結され、ボルト３３ｅの頭部がドッグプレート３３ｃより前方に突出する。
【００７３】
ドッグシャフト３３ａは、その後端面に位置しモータ３２ａの出力軸３２ｄをカット面３２ｅにて一体回転可能に収容する図外の受容孔と、ドッグプレート３３ｃより後端側の周面に位置し受容孔のカット面３２ｅと対応する部分に貫通するねじ孔３３ｆとを有し、このねじ孔３３ｆをドッグシャフト３３ａに設けることから、ドッグシャフト３３ａは金属になっている。
【００７４】
その理由は、ドッグシャフト３３ａを合成樹脂で構成すると、合成樹脂にねじ径の細いねじ切り加工を行うと、合成樹脂の粘性により手間暇がかかるとともに、加工されたねじ山の剛性が低く、しかも合成樹脂によるドッグシャフト３３ａの成形時にねじ孔３２ｆを同時成形すると高価であるが、これに対し、ドッグシャフト３３ａを金属で構成した場合は、合成樹脂の場合に比べ、ねじ切り加工が容易であるうえ、加工されたねじ山の剛性も高いからである。
【００７５】
このねじ孔３３ｆにはケース３２ｆの膨出部３２ｇの背壁より前方に突出するモータ３２ａの出力軸３２ｄを挿入した後に止めねじ３５を締結し、この止めねじ３５がドッグシャフト３３ａの出力軸３２ｄとの軸方向の結合を図り、この止めねじ３５のドッグシャフト３３ａへの締結時には止めねじ３５の頭部とドッグシャフト３３ａとの間に止めねじ３５の弛緩防止のためのスプリングワッシャ３６を介在させる。
【００７６】
センサホルダ３３ｂは、左右両端に位置するねじ挿入用の貫通孔３３ｇ、中央部より後方に突出するアーム部３３ｈ、アーム部３３ｈの後端より下方に延びる支持部３３ｉ、支持部３３ｉとセンサホルダ３３ｂの裏面との間に形成された隙間３３ｊを有し、この支持部３３ｉには図外の例えば反射式または透過式の光センサなどの非接触形のセンサを備え、図外のタッピングねじを貫通孔３３ｇよりケース３２ｆの下穴３２ｍに締結することによって、センサホルダ３３ｂがケース３２ｆの裏面に取り付けられ、このセンサホルダ３３ｂの隙間３３ｊには上記モータ３２ａの出力軸３３ｄに結合されてケース３２ｆの開口３２ｈより膨出部３２ｇの前方空間内に位置されたドッグプレート３３ｃの周縁部を非接触に取り込み、センサホルダ３３ｂの支持部３３ｉに保持された図外のセンサは、遊技制御装置５０にて、モータ３２ａの正転・逆転駆動中、検知動作し、モータ３２ａの一回転ごとにドッグプレート３３ｃのスリット３３ｄを検出するごとにその検出信号を遊技制御装置５０に出力する。
【００７７】
上記モータ３２ａおよび回転停止機構３３が組み付けられたケース３２ｆは、ケース３２ｆに形成された図外の貫通孔より、ベース３０の裏面に形成された図外の下穴に、図外のタッピングねじを締結することによって取り付けられ、このとき、ドッグプレート３３ｃより前面に突出するボルト３３ｅの頭部を、ベース３０のボス部３０ｂより後方に突出する連結軸３２ｎの受容凹部３２ｒ（図６参照）に挿入することによって、連結軸３２ｎがドッグシャフト３３ａと同軸に一体回転可能に連結し、以て、回転体３１がモータ３２ａにより回転駆動可能となる。
【００７８】
上記タッピングねじによる取り付けは、タッピングねじをベース３０の振り分け誘導通路３０ｉ、不利誘導通路３０ｊ、有利誘導通路３０ｋ、回転体収容室３０ａおよびベース３０の前面に突出させず、球の通りおよび意匠を損なわないように考慮する。
【００７９】
上記ケース３２ｆがベース３０の裏面に取り付けられた場合、ケース３２ｆの左右両側に位置する複数の検知器収容室３２ｉ，３２ｊのうちの一方の検知器収容室３２ｉは有利誘導通路３０ｋの出口３０ｔの近傍に位置し、他方の検知器収容室３２ｊは不利誘導通路３０ｊの出口３０ｒの近傍に位置し、各検知器収容室３２ｉ，３２ｊには図外の検知器を装着する。
【００８０】
また、モータ３２ａがケース３２ｆに取り付けられた後において、ケース３２ｆにはほぼ方形の板体に形成されたカバー３７を取り付ける。
【００８１】
カバー３７は、その左右両端より前方に向け突出する脚部３７ａ、各脚部３７ａより外側に伸びる着座部３７ｂ、および各着座部３７ｂに形成されたねじ挿入用の貫通孔３７ｃを有し、カバー３７をケース３２ｆに取り付けるとき、カバー３７の前面および脚部３７ａ間にモータ３２ａから出ている図外の電線を取りまとめ、図外のタッピングねじを着座部３７ｂの貫通孔３７ｃよりケース３２ｆの支柱３２ｋの下穴に締結することによって、モータ３２ａの背部を被覆しつつケース３２ｆに取り付けられる。
【００８２】
このとき、センサホルダ３３ｂが既にケース３２ｆに取り付けられている場合には図外のセンサより出ている電線もモータ３２ａの電線と同様にカバー３７内に取りまとめれば、同センサの電線の取りまとめ作業およびその後の電線のぶらつきがなく、その後の作業がしやすくなる。
【００８３】
下部振り分け装置１６が遊技板１に取り付けられた場合において、モータ３２ａの電線、センサの電線、および検知器の電線が、遊技板１の背部に位置し、その遊技板１の裏面に組み付けられた遊技制御装置５０の対応する接続端子に配線されるこれによって、下部振り分け装置１６における回転体３１の回転駆動、駆動停止、回転方向（正逆転）および異常時の非常駆動停止、不利誘導通路３０ｑへの入賞、その入賞数、有利通路３０ｓへの入賞、その入賞数などが遊技制御装置５０にて監視制御される。
【００８４】
例えば、図１に示す左右の普通図柄表示装置の図柄が停止して「７」などの特定図柄が二つ揃うことによって、正転用電力が遊技制御装置５０からモータ３２ａに供給され、モータ３２ａが正転駆動を開始し、これによって、回転体３１が図７のＡ図に示す矢印方向に正転すると、この回転中において実線示から点線示のように、遊技球が入口３０ｈから振り分け誘導通路３０ｉの上部に入った後に矢示のように振り分け誘導通路３０ｉを下流し、その下流する遊技球が振り分け遊誘導通路３０ｉの出口３０ｐに到達する直前に、回転体３１の振り分け突起３１ｃを有する切欠部３１ｂの開口が出口３０ｐとほぼ一致するように位置し、引き続き、上記遊技球が出口３０ｐに到達すると、その到達した遊技球は仮想線示のように出口３０ｐから回転体３１の振り分け突起３１ｃを有する切欠部３１ｂ内に捕捉される。
【００８５】
この仮想線示の捕捉された遊技球は引き続く回転体３１の矢印方向への回転に伴い振り分け突起３１ｃを有する切欠部３１ｂ内に捕捉されたまま移動し、やがて不利誘導通路３０ｊの入口３０ｑを臨む位置に移動し、このとき、遊技球は振り分け突起３１ｃに受け止められていて切欠部３１ｂ内に捕捉されたままとなり入口３０ｑに入れない（図９のＣ図参照）。
【００８６】
そして、回転体３１の矢印方向への回転が進行し、振り分け突起３１ｃが入口３０ｑを通過し、この振り分け突起３１ｃと対向する切欠部３１ｂの開口縁が入口３０ｑの中程に進み、同開口縁と入口３０ｑの下側縁との間の開口幅が一つの遊技球の直径より狭くなり、もはや振り分け突起３１ｃを有する切欠部３１ｂ内に捕捉された遊技球は捕捉されたまま回転体３１の回転に伴い有利誘導通路３０ｋ側に移動し、この移動過程においては、遊技球が振り分け突起３１ｃを乗り越えて切欠部３１ｂの開口に移動し入口３０ｑと入口３０ｓとを結ぶ内壁３０ｅ（外壁３０ｆと一体になっている）に接触しつつ振り分け突起３１ｃと対向する側の切欠部３１ｂの壁面で押されて有利誘導通路３０ｋ側に移動する。
【００８７】
引き続く回転体３１の矢印方向への回転に伴い、振り分け突起３１ｃが有利誘導通路３０ｋの入口３０ｓを臨む位置に到達し、振り分け突起３１ｃと入口３０ｓとの間の開口幅が一つの遊技球の直径より広くなると同時に、振り分け突起３１ｃを有する切欠部３１ｂ内の遊技球はその切欠部３１ｂから入口３０ｓを通って図７のＢ図に示すように有利誘導通路３０ｋ内に入る。
【００８８】
回転体３１の矢印方向への回転中において、遊技球が振り分け誘導通路３０ｉの出口３０ｐから振り分け突起３１ｃの存在しない切欠部３１ｂに捕捉された場合には、その切欠部３１ｃが回転体３１の回転に伴い不利誘導通路３０ｊの入口３０ｑを臨む位置に到達し、その切欠部３１ｃの開口と入口３０ｑとの会いによって形成される開口幅が一つの遊技球の直径より広くなると同時に、上記振り分け突起３１ｃの存在しない切欠部３１ｂに捕捉された遊技球はその切欠部３１ｂから入口３０ｑを通って不利誘導通路３０ｊに入る。
【００８９】
また、逆転用電力が遊技制御装置５０からモータ３２ａに供給され、モータ３２ａが逆転駆動を開始し、これによって、回転体３１が図７に示す矢印とは逆方向に逆転すると、振り分け誘導通路３０ｉから回転体３１の切欠部３１ｂに入った遊技球が、その切欠部３１の開口と入口３０ｓとの会いによって形成される開口幅が一つの遊技球の直径より広くなると同時に、その切欠部３１ｂから入口３０ｓを通って有利誘導通路３０ｋに全て入る。
【００９０】
つまり、この下部振り分け装置１６によれば、振り分け突起３１ｃの存在する切欠部３１ｂを基準として、回転体３１の回転方向を見ると、回転体３１の回転方向が振り分け突起３１ｃが先行する方向、すなわち図７に示す矢印方向に正転することにより、振り分け誘導通路３０ｉに入った遊技球を切欠部３１ｂの全数分の１で有利誘導通路３０ｋに振り分け、この切欠部３１ｂの全数をＮとすれば、遊技者に有利な遊技状態を１／Ｎの割合で発生することができ、この有利な遊技状態が１／Ｎの割合で発生する場合を、振り分け率１／Ｎと言う。
【００９１】
また、回転体３１の回転方向が振り分け突起３１ｃが後進する方向、すなわち図７に示す矢印方向とは逆方向に逆転することにより、振り分け誘導通路３０ｉに入った遊技球を全て有利誘導通路３０ｋに振り分け、遊技者に有利な遊技状態を１／１の割合で発生することができる。
【００９２】
換言すれば、この下部振り分け装置１６によれば、入口３０ｈに入った遊技球を、回転体３１の正転により不利な遊技状態と有利な遊技状態とにＮ対１に振り分ける一方、回転体３１の回転方向により振り分け率を１／Ｎおよび１／１に変更することができる。
【００９３】
遊技制御装置５０は予め設定されたプログラムにしたがって動作するマイクロコンピュータに構成され、この遊技制御装置５０における入賞口装置１５および下部振り分け装置１６に関する制御について説明すると、遊技制御装置１５は上部振り分け装置３中の普通図柄表示装置３ｆの二つの停止図柄が特定図柄で揃う図柄の組み合わせ信号を発生し、その発生から二つの特定図柄が停止する所定時間の経過時点に、入賞口装置１５の電磁ソレノイド２２ａに電力を供給するとともに下部振り分け装置１６のモータ３２ａに正転用電力を供給し、上記電磁ソレノイド２２ａへの電力供給を所定時間後に停止し、下部振り分け装置１６の有利誘導通路３０ｋ（特定領域）の出口３０ｓ付近に設置された図外の検知器からの遊技球検出信号を受け取った後に、第３種始動口１１への遊技球の入賞検出に伴う大入賞口１２の最大開閉回数の終了した時点で、上記モータ３２ａへの正転用電力の供給を停止するとともに、モータ３２ａに逆転用電力を所定時間供給する。
【００９４】
また、遊技制御装置５０は、下部振り分け装置１６中のセンサホルダ３３ｂの支持部３３ｉに保持された図外のセンサからのドッグプレート３３ｃのスリット３３ｄの検出信号を受け取ると、回転体３１の回転開始から予め設定された一回転当たりの単位時間にセンサからの検出信号が入力されたか否かを判断し、その単位時間に検出信号が入力された場合は回転体３１が正常に回転していると判定してそのまま何もせずに回転体３１の回転を継続し、上記単位時間を過ぎても検出信号の入力がない場合は例えば遊技球が回転体３１と壁構成体３０ｄとの間に引っ掛かるか、その他の何らかの原因によって、回転体３１の回転が異常停止したと判定し、モータ３２ａの焼損防止のために、モータ３２ａへの電力供給を緊急停止するとともに、その緊急停止を警報するための信号を遊技機またはパチンコ店の島や管理室などに設けられた警報部品に出力する。
【００９５】
この実施例の構成によれば、図１に示すように、下部振り分け装置１６の上に入賞口装置１５を配置し、この入賞口装置１５の出口２０ｅを下部振り分け装置１６の入口３０ｈに連接してあるので、遊技機に予め設定された以外の予期しないときに、複数の遊技球が遊技領域から下部振り分け装置１６の有利誘導通路３０ｋに連続して入るという不都合は確実に阻止できる。
【００９６】
つまり、この実施例では、遊技制御装置５０が入賞口装置１５の電磁ソレノイド２２ａに電力を供給するとともに下部振り分け装置１６のモータ３２ａに正転用電力を供給し、図９のＡ図に示すように、回転体３１が矢印方向に正転駆動し、スライダ２１が往動して入賞停止位置に停止し、入賞領域２０ａの入口２０ｄ付近に収容空間２５を形成し、一つの遊技球が遊技領域から収容空間２５に入ると、この遊技球に続く遊技球は収容空間２５内の遊技球および第１突起２１ａにて収容空間２５に入ることを阻止される。
【００９７】
そして、図９のＢ図に示すように、上記スライダ２１が往動開始から所定時間が経過すると復動を開始して入口閉鎖位置に停止し、このスライダ２１の入賞停止位置から入口閉鎖位置に移動する過程で、一つの遊技球が収容空間２５から入賞口装置１５の出口２０ｅ、下部振り分け装置１６の入口３０ｈを経由して振り分け誘導通路３０ｉに入り、引き続き、振り分け誘導通路３０ｉに入った一つの遊技球は振り分け誘導通路３０ｉに沿いその出口３０ｐに転がって行き、正転駆動中の回転体３１の周面に当接して停止した後、回転体３１の複数の切欠部３１ｂのうちの一つの切欠部３１ｂが出口３０ｐに出会い、その一つの切欠部３１ｂと出口３０ｐとの間に回転体３１の回転に伴う一つの切欠部３１ｂと出口３０ｐとの整合によって遊技球の通過可能な開口が形成されると、一つの遊技球が出口３０ｐから一つの切欠部３１ｂに入る。
【００９８】
一つの切欠部３１ｂに入った遊技球は、回転体３１の正転駆動に伴い不利誘導通路３０ｊ側に運ばれるが、この一つの切欠部３１ｂが振り分け突起３１ｃを有する場合には、図９のＣ図に示すように振り分け突起３１ｃに受け止めらており、その振り分け突起３１ｃによる遊技球の受け止めは振り分け突起３１ｃを有する切欠部３１ｂが回転体３１の回転にて不利誘導通路３０ｊの入口３０ｑとの間に形成された一つの遊技球の通過可能な開口が閉鎖されるまで継続する。
【００９９】
引き続く回転体３１の正転駆動により、図９のＤ図に示すように、振り分け突起３１ｃを有する切欠部３１ｂが有利誘導通路３０ｋの入口３０ｓに出会い、その振り分け突起３１ｃを有する切欠部３１ｂと出口３０ｐとの間に回転体３１の正転駆動に伴う振り分け突起３１ｃを有する切欠部３１ｂと入口３０ｓとの整合によって遊技球の通過可能な開口が形成されると、一つの遊技球が振り分け突起３１ｃを有する切欠部３１ｂから入口３０ｓを経由して有利誘導通路３０ｋに入り、その一つの遊技球が有利誘導通路３０ｋからその出口３０ｔを通って図外の賞球排出機構の入賞検知通路へ移動する。
【０１００】
この一つの遊技球の有利誘導通路３０ｋから賞球排出機構の入賞検知通路への移動過程で、下部振り分け装置１６の検知器収容室３２ｉに設置された図外の検知器がその遊技球を検出した検出信号を遊技制御装置５０に出力し、この検出信号を受け取った後において、遊技制御装置５０に予め設定された大入賞口１２の最大開閉回数の終了に伴う大入賞口１２の開閉板の閉鎖時間が経過すると、遊技制御装置５０が下部振り分け装置１６のモータ３２ａに正転用電力に代替して逆転用電力を供給し、図９のＥ図に示すように、回転体３１が矢印方向に逆転駆動する。
【０１０１】
この回転体３１の逆転駆動中において、入賞口装置１５のスライダ２１が往動して入賞停止位置に停止し、入賞領域２０ａの入口２０ｄ付近に収容空間２５を形成し、一つの遊技球が遊技領域から収容空間２５に入った後に、スライダ２１が入賞停止位置から入口閉鎖位置に停止し、このスライダ２１の入賞停止位置から入口閉鎖位置に移動する過程で、一つの遊技球が収容空間２５から下部振り分け装置１６の振り分け誘導通路３０ｉを経て逆転駆動中の回転体３１の周面に当接して停止した後、回転体３１の複数の切欠部３１ｂのうちの一つの切欠部３１ｂが振り分け誘導通路３０ｉの出口３０ｐに出会い、その一つの切欠部３１ｂと出口３０ｐとの間に回転体３１の回転に伴う一つの切欠部３１ｂと出口３０ｐとの整合によって遊技球の通過可能な開口が形成されると、一つの遊技球が出口３０ｐから一つの切欠部３１ｂに入る。
【０１０２】
そして、図９のＦ図に示すように、一つの切欠部３１ｂに入った遊技球は、回転体３１の逆転駆動に伴い有利誘導通路３０ｋ側に運ばれ、その切欠部３１ｂが有利誘導通路３０ｋの入口３０ｓに出会い、その切欠部３１ｂと出口３０ｐとの間に回転体３１の逆転駆動に伴う切欠部３１ｂと入口３０ｓとの整合によって遊技球の通過可能な開口が形成されると、一つの遊技球が切欠部３１ｂから有利誘導通路３０ｋに入る。
【０１０３】
要するに、この実施例によれば、入賞口装置１５が遊技領域から一つの遊技球を適切に取り込み、この一つの遊技球を取り込むことにより入賞口装置１５がその一つの遊技球に続いて入ろうとする別の遊技球の連続入りを阻止するとともに、入賞口装置１５がその取り込んだ一つの遊技球を下部振り分け装置１６の振り分け誘導通路３０ｉに確実に案内し、この一つの遊技球を受け取った下部振り分け装置１６が回転体３１の正転駆動および振り分け突起３１ｃにより振り分け率を１／Ｎに設定し、また、下部振り分け装置１６が回転体３１の逆転駆動により振り分け率を１／１に設定することにより、遊技者に有利な遊技状態のときに、「入賞＝権利発生」といった、遊技内の変化に富む面白さの有る遊技性の高い遊技と、パンク解消といった安心感の高い遊技を提供することができる。
【０１０４】
図１０および図１３を用いて、この発明の二つ以上の遊技球の遊技領域からの連続入りを阻止する入賞口装置の異なる例を説明する。
【０１０５】
図１０〜図１３において、この異なる例の入賞口装置１５Ａは、大まかにはベース４０と回転体４１および回転体４１を回転駆動する回転駆動機構４２を備え、ベース４０の前面に回転体４１を回転可能に組み込み、ベース４０の裏面に回転駆動機構４２を取り付け、この回転駆動機構４２を前記遊技板１に形成された図外の入賞口装置取り付け用開口に遊技板１の前面より挿入し、ベース４０の周縁部を入賞口装置取り付け用開口まわりの遊技板１の前面に取り付けることによって、ベース４０が入賞口装置取り付け用開口を被覆し、入賞口装置１５Ａが遊技板１に取り付けられ、回転体４１の回転駆動によって二つ以上の遊技球の遊技領域からの連続入りを阻止する。
【０１０６】
ベース４０は合成樹脂にて構成され、その前面には不透明で鮮明な色彩による意匠、遊技板１の遊技領域中に区画される入賞領域としての回転体収容室４０ａ、回転体収容室４０ａを形成する左右の第１・第２壁４０ｂ，４０ｃ、回転体収容室４０ａの周囲で左右に位置する第３・第４壁４０ｄ，４０ｅ、回転収容室４０ａの中心に位置するボス部４０ｆ、回転体収容室４０ａの中心より上半部の位置としての最上部の天部に位置する入口４０ｇ、回転体収容室４０ａの周囲に配置された複数のアウト誘導通路４０ｈ，４０ｉ、回転体収容室４０ａの中心より下半部の位置としての最下部に位置する出口４０ｊ、外周縁部に位置する複数の皿穴４０ｋ、裏面に突出する膨出部４０ｍ、および膨出部４０ｍの左右に連接する支柱４０ｎを有する。
【０１０７】
第１壁４０ｂはボス部４０ｆの左側に位置し、第２壁４０ｃはボス部４０ｆの右側に位置し、第１・第２壁４０ｂ，４０ｃはボス部４０ｆを中心とする円周上で左右に互いに相対峙する円弧形の内壁面を有し、これらの内壁面とその内側に位置するベース４０の前面とで回転体収容室４０ａを形成し、各内壁面より下方に延びる縦壁面が一つの遊技球の通過可能な間隔を以て左右に相対峙し、それらの縦壁面間に出口４０ｊを形成する。
【０１０８】
第３壁４０ｄは第１壁４０ｂとの間にアウト誘導通路４０ｈを形成し、第４壁４０ｅは第２壁４０ｃとの間にアウト誘導通路４０ｉを形成し、第３・第４壁４０ｄ，４０ｅはその上部に位置する縦壁面が一つの遊技球の通過可能な間隔を以て左右に相対峙し、それらの縦壁面間に入口４０ｇを形成し、各縦壁面より外側に広がる傾斜壁面が入口４０ｇへの誘導通路４０ｐを形成する。
【０１０９】
アウト誘導通路４０ｈ，４０ｉは第１・第２壁４０ｂ，４０ｃの外側に沿い下方に開放しており、入賞口装置１５Ａを図１に示す遊技板１に取り付けた状態において、その開放部分はベース４０の前面を介して遊技領域に連なる。
【０１１０】
回転体４１は合成樹脂にて回転体収容室４０ａにボス部４０ｆを中心として回転可能に収容されるように構成され、中心部に位置するねじ挿入用の貫通孔４１ａと、周縁部に位置する一つの切欠部４１ｂとを有し、切欠部４１ｂは一つの遊技球を格納可能な大きさに形成されているとともに回転体４１の外周面に一つの遊技球が通過可能な開口を有する。
【０１１１】
回転駆動機構４２は駆動源としてモータ４２ａを備え、モータ４２ａはモータケーシングの前面より外側に突出する複数の取り付け部４２ｂ、モータケーシングの前面下部より前方に突出するボス部４２ｃ、およびボス部４２ｃより前方に突出する出力軸４２ｄを有し、出力軸４２ｄの先端部はその周面に回り止め用のカット面４２ｅを有する。
【０１１２】
モータ４２ａは出力軸４２ｄおよびボス部４２ｃをケース４２ｆに形成された貫通孔４２ｇに裏面側より挿入し、複数の取り付け部４２ｂを図外のタッピングねじでケース４２ｆの裏面のねじ挿入用の下穴４２ｈに締結することによってケース４２ｆに取り付けられる。
【０１１３】
ケース４２ｆは、その左右両端より前方に向け突出する脚部４２ｉ、各脚部４２ｉより外側に伸びる着座部４２ｊ、および各着座部４２ｊに形成されたねじ挿入用の貫通孔４２ｋを有し、図外のタッピングねじを着座部４２ｊの貫通孔４２ｋよりベース４０の支柱４０ｎの後端面に形成された図外の下穴に締結することによって、ベース４０の裏面に取り付けられる。
【０１１４】
また、回転駆動機構４２はモータ４２ａの出力軸４２ｄに回転体４１を取り付けるための連結軸４２ｍを備え、連結軸４２ｍはその前部をベース４０の膨出部４０ｍに形成された貫通孔４０ｑ（図１２参照）を通してボス部４０ｆに後方より回転可能に挿入し、連結軸４２ｍの前端面にはねじ挿入用の下穴４２ｎを形成し、その後部には連結軸４２ｍが前方に移動するときボス部４０ｂの後端面に当接するストッパ部４２ｐを有し、ストッパ部４２ｐの後端面には回転体４１の回転停止検出機構４３におけるドッグシャフト４３ａを同軸に一体回転可能に連結するための図外の受容凹部を形成する。
【０１１５】
上記連結軸４２ｍをボス部４０ｆに挿入した状態において、連結軸４２ｍのボス部４０ｆより回転体収容室４０ａの底面に突出する前端には、回転体収容室４０ａ内に収容した回転体４１をタッピングねじ４３（図１１参照）で結合することにより、回転体４１は回転体収容室４０ａにボス部４０ｆを中心として回転可能に収容され、連結軸４２ｍが前方に移動すると、ストッパ部４２ｐがボス部４０ｆに当接し、連結軸４２ｍが後方に移動すると、回転体４１が回転体収容室４０ａの底面を構成するベース４０に当接し、以て、回転体４１が回転体収容室４０ａに回転可能に格納される。
【０１１６】
回転停止検出機構４３はドッグシャフト４３ａおよびセンサホルダ４３ｂを備え、ドッグシャフト４３ａは金属にて形成され、ドッグシャフト４３ａをインサート部材として図外の樹脂成形型内に配置し、その樹脂成形型内に成形材料を注入固化することによって、ドッグシャフト４３ａの前端部にドッグプレート４３ｃを一体に形成する。
【０１１７】
ドッグプレート４３ｃはその周縁および前後に開口するスリット４３ｄを有し、ドッグプレート４３ｃの前面には連結部材としてのボルト４３ｅを有し、ボルト４３ｅはドッグプレート４３ｃの中心を貫通してドッグシャフト４３ａの中心に締結され、ボルト４３ｅの頭部がドッグプレート４３ｃより前方に突出する。
【０１１８】
ドッグシャフト４３ａは、その後端面に位置しモータ４２ａの出力軸４２ｄをカット面４２ｅにて一体回転可能に収容する図外の受容孔と、ドッグプレート４３ｃより後端側の周面に位置し受容孔のカット面４２ｅと対応する部分に貫通するねじ孔４３ｆとを有し、このねじ孔４３ｆをドッグシャフト４３ａに設けることから、ドッグシャフト４３ａは金属になっており、その理由は、上記実施例における図５に示す下部振り分け装置１６のドッグシャフト３３ａについて述べたのと同じであり、ねじ孔４３ｆにはケース４２ｆより前方に突出するモータ４２ａの出力軸４２ｄを挿入した後に止めねじ４４（図１２参照）を締結し、この止めねじ４４がドッグシャフト４４ａの出力軸４２ｄとの軸方向の結合を図り、この止めねじ４４のドッグシャフト４４ａへの締結時には止めねじの頭部とドッグシャフト４４ａとの間に止めねじの弛緩防止のための図外のスプリングワッシャを介在させる。
【０１１９】
センサホルダ４３ｂは、左右両端に位置するねじ挿入用の貫通孔４３ｇ、中央部より後方に突出するアーム部４３ｈ、アーム部４３ｈの後端より下方に延びる支持部４３ｉ、支持部４３ｉとセンサホルダ４３ｂの裏面との間に形成された隙間４３ｊを有し、この支持部４３ｉには図外の例えば反射式または透過式の光センサなどの非接触形のセンサを備え、図外のタッピングねじを貫通孔４３ｇよりベース４０の図外の下穴に締結することによって、センサホルダ４３ｂがベース４０の裏面に取り付けられ、このセンサホルダ４３ｂの隙間４３ｊには上記モータ４２ａの出力軸４３ｄに結合されたドッグプレート４３ｃの周縁部を非接触に取り込み、センサホルダ４３ｂの支持部４３ｉに保持された図外のセンサは、図１に示す遊技制御装置５０にて、モータ４２ａの駆動中、検知動作し、モータ４２ａの一回転ごとにドッグプレート４３ｃのスリット４３ｄを検出するごとにその検出信号を遊技制御装置５０に出力する。
【０１２０】
上記モータ４２ａおよびドッグシャフト４３ａの組み付けられたケース４２ｆをベース４０の支柱４０ｎに取り付けるとき、ドッグプレート４３ｃより前面に突出するボルト４３ｅの頭部を、ベース４０のボス部４０ｂより後方に突出する連結軸４２ｍの図外の受容凹部に挿入することによって、連結軸４２ｍがドッグシャフト４３ａと同軸に一体回転可能に連結し、以て、回転体４１がモータ４２ａにより回転駆動可能となる。
【０１２１】
入賞口装置１５Ａが遊技板１に取り付けられた場合において、モータ４２ａの電線およびセンサの電線が遊技板１の背部に位置し、遊技板１の裏面に組み付けられた遊技制御装置５０の対応する接続端子に配線されるこれによって、入賞口装置１５Ａにおける回転体４１の回転駆動、駆動停止、回転方向および異常時の非常駆動停止などが遊技制御装置５０にて制御される。
【０１２２】
要するに、この入賞口装置１５Ａによれば、図１３のＡ図に示すように回転体４１は切欠部４１ｂが出口４０ｊの真上に位置する状態を待機停止位置とし、特定図柄が二つ揃う図柄の組み合わせ信号による回転用電力がモータ４２ａに供給されると、矢印で示す一方向に１８０度だけ回転駆動し、図１３のＢ図に示すように切欠部４１ｂが入口４０ｇの真下に位置したところの入賞停止位置に停止し、その入賞停止位置への予めタイマなどで設定された停止時間が経過すると、図１３のＣ図に示すように同方向に１８０度だけ回転駆動し、図１３のＤ図に示すように待機停止位置に停止するというように、入賞停止位置への所定の停止時間を以て一方向に間欠的に回転駆動する。
そして、入賞停止位置への停止中において、図１３のＢ図に示すように遊技領域から遊技球４５が入口４０ｇを通過して回転体４１の切欠部４１ｂに一つ入ると、その遊技球４５に続く別の遊技球４６は切欠部４１ｂに既に入っている遊技球４５によって入ることを阻止され、その別の遊技球４６は回転体４１の外周面から第１壁４０ｂまたは第２壁４０ｃに沿いアウト誘導通路４０ｈまたはアウト誘導通路４０ｉのいずれかを通過して遊技領域に排出される。
【０１２３】
一方、上記切欠部４１ｂに入った一つの遊技球４５は、図１３のＣ図に示すように回転体４１の回転駆動に伴い、切欠部４１ｂに捕捉されたまま下方に運ばれ、その途中で切欠部４１ｂの開口が第１壁４０ｂまたは第２壁４０ｃの内壁面で閉鎖され、その遊技球４５は内壁面で切欠部４１ｂより出ることが阻止されたまま出口４０ｊ側に運ばれる。
【０１２４】
引き続く回転体４１の回転駆動に伴い、図１３のＤ図に示すように切欠部４１ｂが出口４０ｊを臨む位置に到達し、切欠部４１ｂの開口と出口４０ｊとの出会いによって形成される開口幅が一つの遊技球の直径より広くなると同時に、切欠部４１ｂに捕捉された遊技球４５は切欠部４１ｂから出口４０ｊに入り、例えば入賞口装置１５Ａの下に図５に示す下部振り分け装置１６が配置され、入賞口装置１５Ａの出口４０ｊが下部振り分け装置１６の入口３０ｈに連接されていると、上記出口４０ｊに入った遊技球は下部振り分け装置１６へと誘導される。
【０１２５】
また、回転体４１の回転駆動中および待機停止位置での停止中は、図１３のＡ図または図１３のＣ図に示すよう、入口４０ｇを通過した遊技球は回転体４１の外周面に当たってアウト誘導通路４０ｈ，４０ｉのいずれかに跳ね返り、そのアウト誘導通路４０ｈ，４０ｉのいずれかを通過して遊技領域に排出される。
【０１２６】
したがって、この異なる実施例の入賞口装置１５Ａは回転体４１の回転駆動によって二つ以上の遊技球の遊技領域からの連続入りを確実に阻止することができる。
【０１２７】
上記実施例では図１に示すように入賞口装置１５の下に下部振り分け装置１６を連接配置した例を図示して説明したが、この発明では入賞口装置１５および下部振り分け装置１６を遊技領域内に分離配置したり、上部振り分け装置３と下部振り分け装置１６の位置を上下入れ替え、入賞口装置１５と上部振り分け装置３との組み合わせを採用したり、さらには図外の回転体不採用タイプの振り分け装置を下部振り分け装置１６に代替使用することも可能である。
【０１２８】
また、上記実施例では入賞口装置１５の収容空間２５の形成のきっかけを上部振り分け装置３の普通図柄表示装置３ｆに関する特定図柄組み合わせ信号を使用した例を図示して説明したが、この発明では天通過口４、一般入賞口７〜１０などに検知器を設け、その検知器による天通過口４、一般入賞口７〜１０などの遊技球の通過検出信号を使用し、遊技の多様化を図ることもできる。
【０１２９】
さらに、上記実施例では下部振り分け装置１６において回転体３１に六つの切欠部３１ｂを設け、そのうちの一つに振り分け突起３１ｃを設けた例を図示して説明したが、この発明では切欠部３１ｂを二つ設け、その二つ設けた切欠部３１ｂの一つに振り分け突起３１ｃを設けたり、切欠部を三つ以上設け、その三つ以上の一つに振り分け突起３１ｃを設けるか、二つ以上の振り分け突起３１ｃを設け、振り分け率の多様化を図ることも可能である。
【０１３０】
また、切欠部３１ｂを四つ以上設け、その四つ以上の切欠部３１ｂに二つ以上の振り分け突起３１ｃを設ける場合、振り分け突起３１ｃを一つおきに設けるか、二つ以上おきに設けるか、一つおきと二つ以上おきとの組み合わせにするなど、種々の設け方が考えられる。
【０１３１】
さらに、上記実施例では電磁ソレノイド３２ａを単動スプリングタイプを使用し往動時のみ電磁駆動する例を図示して説明したが、収容空間２４への遊技球の入球を検出する検知器を入賞口装置１５に設ける一方、スプリングを内蔵しない複動タイプを採用し、収容空間２４に遊技球が入ったことを検知器が検出したら遊技制御装置５０からの指示で電磁ソレノイド３２ａを復駆動するというように、遊技制御装置５０からの指示で電磁ソレノイド３２ａを往復駆動しても前記実施例と同様の作用効果が得られる。
【０１３２】
【発明の効果】
以上説明したように、この発明によれば、次のような効果がある。
請求項１の振り分け装置によれば、下側の波形部材の凸部が上側の波形部材の凹部に位置し、上側の波形部材の凹部が手前側に転がってきた遊技球を下側の波形部材の凸部に当接し、当該下側の波形部材の凸部が上記当接した遊技球を左右いずれかに振り分けるというように、動力を使用することなく、遊技球を、当該遊技球の流れによって、遊技者の不利な状態と有利な状態とに振り分けることができるので、振り分け装置の構造が簡単である。
請求項２の振り分け装置によれば、最上部の波形部材よりも上部に左右に向け半円弧状に形成された誘導飾りを有するので、波形部材に対する遊技領域からの遊技球の直撃を防止することができ、誘導飾りが左右に向け半円弧状に形成されたことによって、誘導飾りが遊技領域から受け取った球を左右に誘導することができる。
請求項３の振り分け装置によれば、誘導飾り上面が遊技領域の手前側から向こう側に向けて下り勾配に傾斜したので、遊技領域から受け取った遊技球が誘導飾り上面から前側に落下するような不都合を防止し、誘導飾りが遊技領域から受け取った遊技球を左右に振り分けることができる。
請求項４の振り分け装置によれば、誘導飾りの上部に位置する振り分け装置におけるベースには、誘導飾りの上面から入った遊技球を誘導飾りの裏側を通り誘導飾りの下部に位置する多数の波形部材を有する振り分け部に落下するための穴が形成されたので、誘導飾りが遊技領域から誘導飾りに受け取られた遊技球を穴から波形部材の方向と左右の方向とに振り分けることができる。
【図面の簡単な説明】
【図１】実施例のパチンコ機の遊技板の正面図。
【図２】実施例の入賞口装置を示す分解斜視図。
【図３】実施例の入賞口装置の往復駆動機構を示す断面図。
【図４】実施例の振り分け装置を示す分解斜視図。
【図５】実施例の入賞口装置の作用説明図である。
【図６】実施例の振り分け装置の回転体と連結軸と連結を示す断面図。
【図７】実施例の振り分け装置の作用説明図。
【図８】実施例の入賞振り分け装置を示す構成図。
【図９】実施例の入賞振り分け装置の作用説明図。
【図１０】異なる実施例の入賞口装置を示す分解斜視図。
【図１１】異なる実施例の入賞口装置を示す正面図。
【図１２】異なる実施例の入賞口装置を示す断面図。
【図１３】異なる実施例の作用説明図。
【符号の説明】
１　遊技板
１５，１５Ａ　入賞口装置
１６　下部振り分け装置（振り分け装置）
２０　ベース
２０ａ　入賞領域
２０ｄ　入口
２０ｅ　出口
２１　スライダ
２１ａ　第１突起
２１ｂ　第２突起
２１ｃ　間隔
２２　往復駆動機構
２２ａ　電磁ソレノイド
３０　ベース
３０ａ　回転体収容室
３０ｉ　振り分け誘導通路
３０ｊ　不利誘導通路
３０ｋ　有利誘導通路
３０ｈ，３０ｑ，３０ｓ　入口
３０ｒ，３０ｔ　出口
３１　回転体
３１ｂ　切欠部
３１ｃ　振り分け突起
３２　回転駆動機構
３２ａ　モータ
４０　ベース
４０ａ　回転体収容室
４０ｇ　入口
４０ｈ，４０ｉ　アウト誘導通路
４０ｊ　出口
４１　回転体
４１ｂ　切欠部
４２　回転駆動機構
４２ａ　モータ
【図１】
2004000702.tif 000003
【図２】
2004000702.tif 000004
【図３】
2004000702.tif 000005
【図４】
2004000702.tif 000006
【図５】
2004000702.tif 000007
【図６】
2004000702.tif 000008
【図７】
2004000702.tif 000009
【図８】
2004000702.tif 000010
【図９】
2004000702.tif 000011
【図１０】
2004000702.tif 000012
【図１１】
2004000702.tif 000013
【図１２】
2004000702.tif 000014
【図１３】
2004000702.tif 000015